(57)【要約】  本発明は護岸用ブロックに関する。この護岸用ブロックは、中央に通孔が形成されたベースフレームと、前記ベースフレームのリムの外側面から下方に伸びており、前端部に外側に折り曲げられた連結部を有する多数の連結部材とを備える。前記ベースフレームのリムには多数の孔が形成され、前記孔は区画板により垂直方向に貫通する。前記連結部材は前記ベースフレームのリムの外側方向に拡開し、所定の傾斜で傾いている。
2006522246.tif 000002
【特許請求の範囲】
【請求項１】
中央に通孔が形成されたベースフレームと、前記ベースフレームのリムの外側面から下方に伸びており、前端部に外側に折り曲げられた連結部を有する多数の連結部材とを備えることを特徴とする、護岸用ブロック。
【請求項２】
前記ベースフレームのリムには多数の孔が形成され、前記孔は区画板により垂直方向に貫通することを特徴とする、請求項１に記載の護岸用ブロック。
【請求項３】
前記連結部材は前記ベースフレームのリムの外側方向に拡開することを特徴とする、請求項１または２に記載の護岸用ブロック。
【請求項４】
前記連結部材の内側面には補強リブが長手方向に形成されることを特徴とする、請求項１または２に記載の護岸用ブロック。
【請求項５】
前記連結部材の連結部には、対応護岸用ブロックを連結するために、連結孔が形成されることを特徴とする、請求項１または２に記載の護岸用ブロック。
【請求項６】
前記連結部材の連結部の前端部は小幅を有し、前記連結部の後端部には案内部が形成されることにより、前記連結部の前端部がほかの対応護岸用ブロックの連結部と重畳するように、前記連結部の前端部を案内することを特徴とする、請求項５に記載の護岸用ブロック。
【請求項７】
多数の連結部材のうち、一側の連結部材の連結部の下側面には係合突起が形成され、他側の連結部材の連結部の下側面には係合孔が形成され、対応護岸用ブロックの係合突起が係合孔に挿入されることを特徴とする、請求項１または２に記載の護岸用ブロック。
【発明の詳細な説明】
【技術分野】
【０００１】
本発明は護岸用ブロックに係り、より詳しくは、簡単な構造で製造が容易であり、その取扱いおよび建設が容易であり、護岸用ブロックが多様な方法で連結できるので、堤防および傾斜面に好適な護岸用ブロックに関するものである。
【背景技術】
【０００２】
一般に、護岸用ブロックは川の堤防または傾斜面の破壊を防止するために使用され、植物の成長を助ける。
【０００３】
護岸用ブロックに係る本発明者により発明された既存の大韓民国特許は、図１に示すように、リム部１０、および前記リム部１０で互いに交差する水平部１２および垂直部１４を有するベースフレーム１６と、前記リム部１０の下側面から伸びており、先端部に連結部１８を有する連結部材２０と、前記水平部１２および垂直部１４の交差点から垂直方向に伸びる支持突部２２とを備える護岸用ブロック２４を開示する。
【０００４】
前記のような従来の護岸用ブロックにおいて、土が満たされる空間は、上下側および左右側が互いに連通するように、上体部と下体部間に形成され、この空間に満たされる土は一塊になるので、前記護岸用ブロックは土と一体化した状態で埋め込まれることになる。したがって、堅くて安定に埋め込まれた状態のブロックを得ることができる。また、長期間が経過しても、土および砂が流失するか破壊される現象を防止することができる。
【０００５】
特に、土で満たされた空間が上下側および左右側に連通するため、植物の幹および根が前記空間を通じて上下側および左右側に広がって自然に成長できる。したがって、前記護岸用ブロックの埋め込まれた状態が前記植物の幹および根により一層安定になる。
【０００６】
また、水中に沈む部分に、水を浄化し得る水生植物を植え込むことができるので、水を効率よく浄化することができる。護岸用ブロックは廃プラスチックから形成されるため、資源が節減され、低費用および経済的な建設が達成される。
【０００７】
しかし、従来の護岸用ブロックは複雑で重い構造を有するので、護岸用ブロックの製造、移動および結合作業が不可能である。したがって、従来の護岸用ブロックは、製造費用の増加、および作業能率の低下をもたらし得る問題点を有する。
【発明の開示】
【発明が解決しようとする課題】
【０００８】
したがって、本発明の目的は、従来技術の問題点を解決することができる護岸用ブロックを提供することである。
【０００９】
本発明のほかの目的は、単純かつ軽量の構造、容易な製造、運搬および結合作業を達成することができる護岸用ブロックを提供することである。
【課題を解決するための手段】
【００１０】
前記目的を達成するため、本発明の護岸用ブロックは、中央に通孔が形成されたベースフレームと、前記ベースフレームのリムの外側面から下方に伸びており、前端部に外側に折り曲げられた連結部を有する多数の連結部材とを備える。
【００１１】
本発明による護岸用ブロックにおいて、前記ベースフレームのリムには多数の孔が形成され、前記孔は区画板により垂直方向に貫通する。
【００１２】
本発明による護岸用ブロックにおいて、前記連結部材は前記ベースフレームのリムの外側方向に拡開する。
【００１３】
本発明による護岸用ブロックにおいて、前記連結部材の内側面には補強リブが長手方向に形成される。
【００１４】
本発明による護岸用ブロックにおいて、前記連結部材の連結部には、対応護岸用ブロックを連結するために、連結孔が形成される。
【００１５】
前記連結部材の連結部の前端部は小幅を有し、前記連結部の後端部には案内部が形成されることにより、前記連結部の前端部がほかの対応護岸用ブロックの連結部と重畳するように、前記連結部の前端部を案内する。
【００１６】
多数の連結部材のうち、一側の連結部材の連結部の下側面には係合突起が形成され、他側の連結部材の連結部の下側面には係合孔が形成され、対応護岸用ブロックの係合突起が係合孔に挿入される。
【発明を実施するための最良の形態】
【００１７】
以下、添付図面を参照して本発明の好適な実施形態を説明する。
【００１８】
図２に示すように、本発明による護岸用ブロックは、通孔が形成された中央部を有するベースフレーム３０と、前記ベースフレーム３０のリムから下方に伸びる多数の連結部材３２とを備える。
【００１９】
前記ベースフレーム３０は所定幅を有する方形フレームからなる。前記ベースフレーム３０は中央に通孔３４が形成される。
【００２０】
前記通孔３４は多数の区画板３６により所定幅に区画される。
【００２１】
前記連結部材はベースフレーム３０のリムの外側面から下方に伸びており、その延長端部には外側に折り曲げられた連結部３８が設けられる。
【００２２】
前記連結部材３２はリムの外側方向に拡開され、所定の傾斜で傾いている。前記連結部材の内側面には多数の補強リブ４０が長手方向に形成されている。ここで、前記補強リブ４０は、護岸用ブロックに対する補強機能を向上させるため、ベースフレームの区画板３６に連結されることが好ましい。
【００２３】
前記連結部材３２の連結部３８には、連結部材３２が互いに対向する同一護岸用ブロックの連結部３８が隣接し重畳して水平方向に連結するように、連結孔４２が設けられる。
【００２４】
前記連結部材３２において、連結部３８の前端部の両側は、前記連結された同一護岸用ブロックの連結部３８が互いに隣接するか、あるいは多層に重畳するように、所定幅に切除されているので、前記連結孔４２と同一高さに連結部３８が設けられる。前記連結部材３２と前記連結部３８が交差する部分には案内部４４が形成されるので、前記切除された連結部３８の前端部が同一護岸用ブロックの連結部３８と重畳することになる。
【００２５】
各連結部材３２の連結部３８の下側面には係合突起４６または係合孔４８が形成されることにより、同一護岸用ブロックの連結部３８の下側面と選択的に係合できる。たとえば、本発明のこの実施形態においては、ベースフレーム３０から伸びている四つの連結部材３２の対角線を基準として一側の連結部３８には係合突起４６が形成され、他側の連結部３８には係合孔４８が形成される。
【００２６】
図３および図４は本発明による護岸用ブロックの結合例を示す図である。連結部材３２が互いに対向している同一護岸用ブロックを、連結部３８が当接するように結合部材５０を使用して連結する。この際、護岸用ブロックを結合部材５０で連結するに先立ち、まず連結部３８の係合突起４６と係合孔４８を係合させる。
【００２７】
ここで、結合部材５０の両端部には結合段差部が形成され、対応連結部材３２が密接した状態で同一高さにある一対の連結孔４２に挿入されるにしたがい、結合部材の一端部は連結孔４２の外側リム部にかかり、他側を通過する他端部は拡開して他側の連結孔４２の外側リム部にかかることになる。他側を通過する他端部の中心には切除部５０ｂが長手方向に形成されている。
【００２８】
また、結合部材５０を連結孔４２に結合された状態から解除させるためには、結合部材５０の拡開端部を収縮させた後、反対方向に押し出すとよい。
【００２９】
図５および図６は本発明による護岸用ブロックのほかの結合例を示す図である。図３の護岸用ブロックは水平方向に連結されている。
【００３０】
図７および図８に示すように、本発明の護岸用ブロックのベースフレームは方形に限定されない。すなわち、５角形、６角形または円形などに形成できる。
【００３１】
本発明による護岸用ブロックにおいて、ブロックに形成されて土が満たされる空間は、従来の護岸用ブロックと同様、上下側および左右側に連通する。これに満たされた土はほかの土と結集して一塊を形成するので、この護岸用ブロックはブロックと土が一体になった状態で埋め込まれる。したがって、ブロックの埋め込まれた状態が堅く安定になる。長期間が経過しても土が流失するかあるいは破壊されることはない。特に、土で満たされた空間が上下側および左右側に連通しているため、植物の幹または根がその空間を通じて上下方向および左右方向にひろがることができるので、植物が自然に成長することができる。ブロックの埋め込まれた状態は前記空間内で成長する植物の幹および根により一層安定になる。
【００３２】
また、水を効率よく浄化するために、水中に沈む部分に浄水能力を有する水生植物を植え込むこともできる。前記ブロックは廃プラスチックから形成されるため、資源が節減され、製造費用が低くなり、経済的な製造が可能である。
【産業上の利用可能性】
【００３３】
以上説明したように、本発明による護岸用ブロックは、ベースフレームが各リムに連結部材を形成し、前記連結部材の前端部に連結部を形成する。この護岸用ブロックの構造は堅くて安定であり、軽量であるので、製造、運搬および結合作業が容易に行える。また、製造費用が減少し、作業効率が向上される。この護岸用ブロックの連結構造は多様に達成される。したがって、本発明は堤防または道路の傾斜面に効果的に適用可能である。
【００３４】
本発明は前記実施形態に限定されない。本発明は本発明の精神または基本特徴から逸脱しないで幾つかの形態に具現することができるので、前述した例は別に特定しない限り、前記説明の詳細内容に限定されなく、添付する特許請求範囲で定義される本発明の精神および範囲内で多様に解釈できるので、特許請求範囲の範囲内に属する全ての変形および修正、またはこれと同等のものは添付する特許請求範囲内に属することを理解しなければいけない。
【図面の簡単な説明】
【００３５】
【図１】従来の護岸用ブロックを示す斜視図である。
【図２】本発明の一実施形態による護岸用ブロックを示す斜視図である。
【図３】本発明による一対の護岸用ブロックを互いに連結した状態を示す斜視図である。
【図４】本発明による護岸用ブロックの連結部と隣接連結部が層状構造に重畳した状態を示す要部斜視図である。
【図５】本発明による多数の護岸用ブロックを水平方向に連結した状態を示す側面図である。
【図６】本発明による多数の護岸用ブロックを水平方向に連結した状態を示す平面図である。
【図７】本発明のほかの実施形態による図２の護岸用ブロックを示す概略平面図である。
【図８】本発明のさらにほかの実施形態による図２のほかの護岸用ブロックを示す概略平面図である。
【図１】
2006522246.tif 000003
【図２】
2006522246.tif 000004
【図３】
2006522246.tif 000005
【図４】
2006522246.tif 000006
【図５】
2006522246.tif 000007
【図６】
2006522246.tif 000008
【図７】
2006522246.tif 000009
【図８】
2006522246.tif 000010
【国際調査報告】
2006522246.tif 000011
2006522246.tif 000012